(57)【要約】【課題】簡易な構成で側板と平行な保持板部を配置しながら、その保持板部の端縁にバイアル等の側面に貼った表示ラベルを引っ掛けることなく円滑にバイアル等を収容できるようにする。【解決手段】箱胴部内には左側板３から平行に離隔した保持板部１５が配置し、この保持板部１５により箱胴部内を仕切って収容空間Ｈ１及び保持空間Ｈ２を形成する。収容空間Ｈ１にはバイアル等を収容し、そのバイアル等を保持板部１５によりそのバイアル等の側面から保持する。保持板部１５は第１固定板１４を介して一側を後側板２に固定し、第２固定板１６を介して他側を前側板１に固定する。保持板部１５の底部側の端縁にガイドフラップ１７を連設し、連設したガイドフラップ１７を保持空間Ｈ２に折り込んでいる。【選択図】図３
2008155978.tif 000002
【特許請求の範囲】
【請求項１】
複数の側板（１，２，３，４）によって構成された箱胴部（５）と、前記箱胴部（５）の上端に連設された蓋部（６）と、前記箱胴部（５）の下端に連設された底部（７）とを備えた包装箱であって、
前記箱胴部内においていずれかの前記側板（３）から平行に離隔した保持板部（１５）を配置し、この保持板部（１５）により前記箱胴部内を仕切って収容空間（Ｈ１）及び保持空間（Ｈ２）を形成し、
前記保持板部（１５）の両側をそれぞれ固定板（１４，１６）を介して前記箱胴部（５）に固定し、
前記保持板部（１５）の蓋部側の端縁及び底部側の端縁の少なくともいずれか一方にガイドフラップ（１７）を連設し、連設した前記ガイドフラップ（１７）を前記保持空間（Ｈ２）に折り込んでいる、包装箱。
【請求項２】
前記保持板（１５）において前記ガイドフラップ（１７）を連設した端縁が傾斜している、請求項１に記載の包装箱。
【請求項３】
前記保持空間（Ｈ２）に折り込んだ前記ガイドフラップ（１７）の先端を自由端にしている、請求項１又は請求項２に記載の包装箱。
【発明の詳細な説明】
【技術分野】
【０００１】
本発明は、バイアル等を安全に収容する包装箱に関し、詳細には、収容した上記バイアル等を箱内部において安全に保持する保持板部を備えた包装箱に関する。
【背景技術】
【０００２】
従来、包装箱内で側板と平行な保持板部を備え、この保持板部により収容箱内に収容したバイアルを側方から安全に保持する包装箱がある。その保持板部は箱胴部の上端の蓋部を構成する上部フラップに連結固定している（例えば特許文献１を参照）。
【０００３】
【特許文献１】特開平０９−３２３７２２号公報
【発明の開示】
【発明が解決しようとする課題】
【０００４】
上記包装箱に対するバイアルの収納や取出しに包装箱の蓋部側の開口部を使うので、保持板部を上部フラップの開閉を妨げずにその上部フラップに連結固定する必要がある。このため上記保持板部の固定板を上部フラップに糊付けし、保持板部の上端をその固定板に上部フラップの開閉を許容する連設部を介して連設している。この保持板部を配置する構成は複雑であり、その組立工程は多くなる（特許文献の図１及び図２を参照）。
【０００５】
この従来の保持板部の配置構成に対して、保持板部を上部フラップに連結固定せず、その保持板部の両側をそれぞれ固定板を介して箱胴部に固定する構成は簡易でありながら上部フラップの開閉を妨げることはない。
【０００６】
しかし、縦長の包装箱に上記簡易な保持板部の配置構成を採用し、その包装箱にバイアルを縦置き状態で収容させる場合、バイアルを包装箱の蓋部側（又は底部側）の開口部から収容箱内に挿入させるので、その保持板部の底部側（又は蓋部側）の端縁にバイアルの側面に貼った表示ラベルが引っ掛かり易くバイアルの包装箱内への円滑な収容が容易でない。
【０００７】
本発明は、簡易な構成により箱胴部内において箱胴部を構成する側板と平行に保持板部を配置しながら、バイアル等を包装箱の蓋部側（又は底部側）の開口部から収容箱内に挿入させる過程においてその保持板部の端縁にバイアル等の側面に貼った表示ラベルを引っ掛けることなく円滑にバイアル等の収容を行うことが可能な包装箱を提供することを目的とする。
【課題を解決するための手段】
【０００８】
請求項１に係る発明は、複数の側板（１，２，３，４）によって構成された箱胴部（５）と、前記箱胴部（５）の上端に連設された蓋部（６）と、前記箱胴部（５）の下端に連設された底部（７）とを備えた包装箱であって、前記箱胴部内においていずれかの前記側板（３）から平行に離隔した保持板部（１５）を配置し、この保持板部（１５）により前記箱胴部内を仕切って収容空間（Ｈ１）及び保持空間（Ｈ２）を形成し、前記保持板部（１５）の両側をそれぞれ固定板（１４，１６）を介して前記箱胴部（５）に固定し、前記保持板部（１５）の蓋部側の端縁及び底部側の端縁の少なくともいずれか一方にガイドフラップ（１７）を連設し、連設した前記ガイドフラップ（１７）を前記保持空間（Ｈ２）に折り込んでいる。
【０００９】
請求項２に係る発明は、請求項１に係る発明において、前記保持板（１５）において前記ガイドフラップ（１７）を連設した端縁が傾斜している。
請求項３に係る発明は、請求項１又は請求項２に係る発明において、前記保持空間（Ｈ２）に折り込んだ前記ガイドフラップ（１７）の先端を自由端にしている。
【発明の効果】
【００１０】
本発明では、ガイドフラップを保持空間に折り込むことによりそのガイドフラップを連設した保持板部の端縁が滑らかになるので、バイアル等を包装箱の蓋部側（又は底部側）の開口部に挿入する過程において、保持板部の端縁にバイアル等の側面に貼った表示ラベルが引っ掛かることはない。従って、本発明では、簡易な構成により保持板部を側板と平行に配置させながら、バイアル等を包装箱の蓋部側（又は底部側）の開口部から挿入させてそのバイアル等を包装箱内に円滑に収容できる。
【００１１】
保持板においてガイドフラップを連設した端縁が傾斜している場合には、バイアル等を箱胴部内に収容する際にバイアル等が保持板に接触する範囲を低減できるので、バイアル等の収容を円滑に行うことが出来る。
保持空間に折り込んだガイドフラップの先端を自由端にしている場合にはガイドフラップの糊付け作業を省略でき、包装箱の組立を容易にする。
【発明を実施するための最良の形態】
【００１２】
以下、本発明の実施形態について図面に基いて説明する。
図１は、本実施形態の一例である包装箱にバイアルを収容する様子を示す要部破断斜視図である。図２は図１の包装箱の要部をその底部側の開口部を開いた状態で示す。図２（ａ）はその包装箱の要部を包装箱の長手方向において底部側から示した平面図であり、図２（ｂ）はその包装箱の要部を示した斜視図である。図３は図１の包装箱内にバイアルを収容した状態を示す正面断面図である。
【００１３】
上記包装箱は、前後左右の各側板１，２，３，４によって構成された箱胴部５と、箱胴部５の上端に連設された蓋部６と、箱胴部５の下端に連設された底部７とを備える。前側板１の上部にはミシン目２２を形成されている。包装箱を蓋部６によって蓋した後にバイアルＶを取り出すときは、このミシン目２２を破って包装箱の蓋部６を開けて箱胴部５の蓋部側の開口部から製品説明書と共にバイアルＶを容易に取り出すことができる。
【００１４】
前後左右の各側板１，２，３，４の上端にはそれぞれ蓋部フラップ８が連設されている。左側板３に連設した蓋部フラップ８の先端縁には挿入部１８が連設してあり、右側板４に連設した蓋部フラップ８には切り込み口１９が設けてある。この挿入部１８を切り込み口１９に挿入してそれら左側板３及び右側板４に連設した各蓋部フラップ８を閉じ、その閉じた蓋部フラップ８の上から残りの各蓋部フラップ８を閉じることにより蓋部６を構成する。一方、前後左右の各側板１，２，３，４の下端にはそれぞれ底部フラップ９が連設され、それら底部フラップ９を箱胴部５の内向きに折り曲げることにより組み合わせて底部７を構成する。
【００１５】
箱胴部内には左側板３から平行に離隔した保持板部１５が配置し、この保持板部１５により箱胴部内を仕切って収容空間Ｈ１及び保持空間Ｈ２を形成する。収容空間Ｈ１にはバイアルＶを収容し、そのバイアルＶを保持板部１５によりそのバイアルＶの側面から保持する。収容空間Ｈ１はバイアルＶのサイズに合わせて仕切られている。このため前後の各側板１，２の幅をバイアルＶの幅より広く設定してもバイアルＶがガタツクことがなく、しかも包装箱の幅方向においてバイアルＶのサイズより広い表示スペースを製品説明等のために確保することができる。保持板部１５はその保持板部１５の両側をそれぞれ第１固定板１４及び第２固定板１６を介して箱胴部５に固定する。第１固定板１４を後側板２に固定し、第２固定板１６を前側板１に固定する。固定された第１固定板１４は後側板２を補強し、固定された第２固定板１６は前側板１を補強する。
【００１６】
保持板部１５の底部側の端縁にはガイドフラップ１７が連設し、ガイドフラップ１７を連設した保持板部１５の端縁は前側板１から後側板２に接近するにつれて底部側に傾斜している。ガイドフラップ１７は保持空間Ｈ２に折り込まれ、ガイドフラップ１７の先端は自由端にしてある。ガイドフラップ１７を保持空間Ｈ２に折り込むことによりガイドフラップ１７を連設した保持板部１５の底部側の端縁を滑らかにする。
【００１７】
バイアルＶを包装箱に収容する場合、図１に示すようにバイアルＶの頭部に予め折り畳んだ製品説明書ＥをＵ字状にして被せ、そのＵ字の両端部が包装箱の前側板１及び後側板２に接するような姿勢でバイアルＶを包装箱に収容する。この製品説明書Ｅはその幅においてバイアルＶの胴部の直径より小さく折り畳まれている。このためバイアルＶの胴部の側面に貼った表示ラベルＬが保持板部１５の底部側の端縁に接触するが、その端縁に連設したガイドフラップ１７を折り返すことでその端縁を滑らかにしているのでその表示ラベルＬがその端縁に引っ掛かることはない。
【００１８】
ガイドフラップ１７の幅Ｄ１（保持板部１５との連設箇所からガイドフラップ１７の先端までの長さ）は保持板部１５と左側板３との間隔距離Ｄ２より長く設定しているので、ガイドフラップ１７の先端を自由端にしてもそのガイドフラップ１７が保持空間Ｈ２に折り込まれた状態を維持することができる。
【００１９】
包装箱の底部側においては、各底部フラップ９のうち対向する一対の底部フラップ９に底部ホルダー１０がそれぞれ設けられている。各底部ホルダー１０は、底部フラップ９に連設する内壁部１１と、内壁部１１に連設する上壁部１２と、上壁部１２に連設し、かつ底部フラップ９を連設した左側板３及び右側板４の内面に固定した固定板１３とを有している。
【００２０】
内壁部１１は一対の先端側内壁部１１ａと中間側内壁部１１ｂとから構成され、先端側内壁部１１ａは底部フラップ９の先端縁に連設し、中間側内壁部１１ｂは固定片２１を介して底部フラップ９の内面に固定されている。一対の先端側内壁部１１ａは底部フラップ９の先端縁の中間部を挟んで両隣にそれぞれ連設されている。底部フラップ９の先端縁の中間部には固定片２１が連設され、その固定片２１は底部フラップ９の内面に固定されている。固定片２１の内側端縁には中間側内壁部１１ｂが連設されている。
【００２１】
各底部ホルダー１０の上壁部１２は平面視で略コ字型であり、箱胴部５の底部側開口部を閉じた状態では、各上壁部１２の略コ字型の開放側が互いに対向する構成である。その略コ字型の両先端部それぞれには一対の先端側内壁部１１ａが連設され、その略コ字型の中間部には中間側内壁部１１ｂが連設されている。各上壁部１２の略コ字型の開放側を互いに対向して構成させた場合、バイアルＶをこれら対向した状態の上壁部１２上に載置させると、各中間側内壁部がそれぞれの上壁部の中央付近に位置することから載置したバイアルＶの荷重が各上壁部１２の一対の先端側内壁部１１ａ及び中間側内壁部１１ｂにバランスよく分散する。このためバイアルＶを収容した場合の各底部ホルダー１０の強度を向上させることができ、これら底部ホルダー１０によってバイアルＶを安定した状態で支えることができる。
【００２２】
図４は包装箱の各底部フラップと共に開閉する底部ホルダーの拡大図を示す。図４（ａ）は底部フラップ９が箱胴部５の外向きにこの底部フラップ９が連設する左側板３の内面から１８０度より大きく開いた状態を示す（図１参照）。図４（ｂ）は底部フラップ９が箱胴部５の外向きに開いてその底部フラップ９を連設した左側板３と同一平面上に配置している状態を示す。図４（ｃ）は底部フラップ９が閉じて底部ホルダー１０が立体化した状態を示す（図３参照）。なお図４に示した底部フラップ９及びその底部フラップ９に設けた底部ホルダー１０の構成は、固定板１３の蓋部側先端の形状を除くと、右側板４に連設した底部フラップ９及びとその底部フラップ９に設けた底部ホルダー１０の構成と同一である。
【００２３】
底部フラップ９と左側板３との連設箇所にはフラップ開閉用の折り目ｒ１が付けられ、その底部フラップ９に連設した底部ホルダー１０の上壁部１２において中間側内壁部１１ｂとの連設箇所に沿ってこの上壁部１２を横切るホルダー開閉用の折り目ｓ５が付けられている。
【００２４】
このフラップ開閉用の折り目ｒ１とホルダー開閉用の折り目ｓ５とは、図４（ｂ）に示すように底部フラップ９を箱胴部５の外向きに開いてこの底部フラップ９を連設した側板と同一平面上に配置させた状態において重複する。この重複により、図４（ａ）に示すように、底部フラップ９を箱胴部５の外向きに左側板３の内面から１８０度より大きく開けることができる。箱胴部５の底部側開口部を閉じる前に、底部フラップ９を１８０度より大きく開けることによりホルダー開閉用の折り目ｓ５に山折りの折り癖が付される。このように予め山折りの折り癖が付されているので、左側板３に連設した底部フラップ９を折り目ｒ１を介して箱胴部５の内向きに折り曲げたときに、先端側内壁部１１ａ及び中間側内壁部１１ｂが底部フラップ９に対して確実に立ち上がる（図４（ｃ）参照）。従って、バイアルＶを機械作業で自動的に包装箱に包装する場合に底部ホルダー１０を蓋するだけで先端側内壁部とともに中間側内壁部１１ｂが確実に立ち上がり、その作業効率の向上が図られる。
【００２５】
図４（ｃ）に示されるように左右の各側板３，４の底部側の端縁からその左右の各側板３，４の内面に固定した固定板１３の底部側の端縁までの距離Ｄ３は内壁部１１の高さＤ４と略同一である。このため底部フラップ９により箱胴部５の底部側の開口部を閉じた状態では、内壁部１１は底部フラップ９を連設した側板３，４と略平行となり、上壁部１２は底部フラップ９と略平行となる。バイアルＶを包装箱に収容した状態においては、底部ホルダー１０に略平行の上壁部１２にバイアルＶの底部を戴置し、その上壁部１２を内壁部１１が支持することでバイアルＶを底上げ状態に固定支持する。
【００２６】
次に、本実施形態の包装箱の構成を図５に示した包装箱用台紙の展開図を用いて説明する。なお図５は包装箱用台紙の展開図をその包装箱の内面（裏面）から示しているので、図５の平面視においては左側板３が前側板１の右側に位置し、右側板４が前側板１の左側に位置している。
【００２７】
図５の平面視において前側板１の右側には折り目ｐ１，ｐ２を介して左側板３及び後側板２が順に連設し、前側板１の左側には折り目ｐ３，ｐ４，ｐ５，ｐ６を介して右側板４、第１固定板１４、保持板部１５、第２固定板１６が順に連設してある。前側板１の上部にはミシン目２２が形成されている。包装箱を蓋部６によって蓋した後にバイアルＶを取り出すときは、このミシン目２２を破って包装箱の蓋部６を開けて箱胴部５の蓋部側の開口部から製品説明書と共にバイアルＶを容易に取り出すことができる。そのミシン目２２は前側板１と蓋部フラップ８との連設箇所に付けた折り目ｑ３の左端から右下がりに傾斜し、途中で折れ曲がって折り目ｑ３に平行になり、再び折れ曲がって右上がりに傾斜して折り目ｑ３の右端に至る。また保持板部１５の下側の先端は右上がりに傾斜し、その傾斜した先端には折り目ｒ５を介してガイドフラップ１７が連設してある。
【００２８】
前後左右の各側板１，２，３，４の上端には蓋部フラップ８が折り目ｑ１，ｑ２，ｑ３，ｑ４を介してそれぞれ連設してある。左側板３に連設した蓋部フラップ８の先端には挿入部１８が連設し、右側板４に連設した蓋部フラップ８の上部には挿入部１８を挿入するための切込み口１９が設けられている。
【００２９】
前後左右の各側板１，２，３，４の下端に底部フラップ９が折り目ｒ１，ｒ２，ｒ３，ｒ４を介してそれぞれ連設してある。左側板３及び右側板４にそれぞれ連設した各底部フラップ９には折り目ｓ１を介して底部ホルダー１０が連設してあり、底部ホルダー１０には一対の先端側内壁部１１ａと中間側内壁部１１ｂとを形成する切込み線２０が入れてある。各底部ホルダー１０をそれぞれ連設した底部フラップ９の先端縁の中間部の両隣にはそれぞれ折り目ｓ１，ｓ２，ｓ３を介して先端側内壁部１１ａ、上壁部１２及び固定板１３が順に連設してある。各底部ホルダー１０をそれぞれ連設した底部フラップ９の先端縁の中間部には折り目ｓ１，ｓ４，ｓ５，ｓ３を介して固定片２１、中間側内壁部１１ｂ、上壁部１２及び固定板１３が順に連設してある。左側板３に連設した底部ホルダー１０の固定板１３の先端は右下がりに傾斜している。
【００３０】
次に、図５に示した包装箱用台紙を折り曲げてバイアルＶを収容する状態に包装箱を製作する手順を示す。図６から図９まではその包装箱を製作するまでの中間過程を示し、図６〜図９の矢印は折り曲げ方向を示す。まず図５の状態から折り目ｓ１を谷折りにして折り目ｒ１，ｒ４と折り目ｓ５とを重複させた状態で、図６に示すように各底部ホルダー１０の固定板１３の内面をその各底部ホルダー１０を連設した左側板３及び右側板４の内面にそれぞれ糊付け固定する。
【００３１】
次いで図６に示すように折り目ｐ５を谷折りにし、保持板部１５を第１固定板１４に折り重ね、第２固定板１６を右側板４に折り重ねる（図７参照）。これら保持板部１５及び第２固定板１６を折り重ねた状態で保持板部１５のガイドフラップ１７を折り目ｒ５を介して保持板部１５の外面側に折り返す。このガイドフラップ１７を折り返した状態で折り目Ｐ３を谷折りにし、保持板部１５を左側板３に折り重ね、第２固定板１６を前側板１に折り重ねる。この第２固定板１６の折り重ねにより、前側板１の内面には第２固定板１６の外面の糊付け部１６ａを介して第２固定板１６の外面が糊付け固定される（図８参照）。次いで折り目Ｐ２を谷折りにすることにより後側板２の内面をその内面の糊付け部２ａを介して第１固定板１４の外面に糊付け固定する（図９参照）。
【００３２】
この図９に示された折り畳み状態の包装箱にバイアルＶを収容する場合、その包装箱の左右両側から図９の矢印で示すように力Ｆを加えることにより、前側板１及び後側板２に対して垂直になるまで左側板３及び右側板４を立ち上がらせて包装箱を立体化する。次いで蓋部６を蓋すると共にバイアルＶを包装箱に収容した後、底部フラップ８を折り曲げて底部７を形成する。このとき底部ホルダー１０が立体状に形成され、バイアルＶが支持される（図１，図２，図３及び図４参照）。
【００３３】
本発明の実施形態においては包装箱内に保持板部１５のみを左側板３に平行に離隔して配置していたが、本発明はこれに限定されず、複数の保持板部を包装箱内に配置してもよい。例えば新たな保持板部を右側板４から平行に離隔して配置し、その新たな保持板部と保持板部１５との間に収容空間Ｈ１を形成するようにしてもよい。この場合、この新たな保持板部の両側の一方を第２固定板１６に連設させ、他方を新たな固定板に連設させ、その新たな固定板を第１固定板１４に固定させることによりその新たな保持板部を箱胴部５に配置する。
【図面の簡単な説明】
【００３４】
【図１】本実施形態の一例である包装箱にバイアルを収容している状態を示す要部破断斜視図である。
【図２】図１の包装箱の要部をその底部側の開口部を開いた状態で示す。
【図３】図１の包装箱内にバイアルを収容した状態を示す正面断面図である。
【図４】包装箱の各底部フラップと共に開閉する底部ホルダーの拡大図を示す。
【図５】図１の包装箱の包装箱用台紙をその裏面から示した展開図である。
【図６】図３の包装箱用台紙から包装箱を製作する中間過程を示す。
【図７】図３の包装箱用台紙から包装箱を製作する中間過程を示す。
【図８】図３の包装箱用台紙から包装箱を製作する中間過程を示す。
【図９】図３の包装箱用台紙から包装箱を製作する中間過程を示す。
【符号の説明】
【００３５】
１…前側板
２…後側板
３…左側板
４…右側板
５…箱胴部
６…蓋部
７…底部
１４…第１固定板
１５…保持板部
１６…第２固定板
１７…ガイドフラップ
Ｈ１…収容空間
Ｈ２…保持空間
【図１】
2008155978.tif 000003
【図２】
2008155978.tif 000004
【図３】
2008155978.tif 000005
【図４】
2008155978.tif 000006
【図５】
2008155978.tif 000007
【図６】
2008155978.tif 000008
【図７】
2008155978.tif 000009
【図８】
2008155978.tif 000010
【図９】
2008155978.tif 000011